(57)【特許請求の範囲】
【請求項１】
接触した被検出体の位置を検知するための第１の面と、前記第１の面に対向する第２の面とを有する導光手段と、
前記導光手段に光を入射する光源と、
前記導光手段の側面の一部に配置された受光素子と、
前記導光手段の側面と前記受光素子との間に配置され、前記第１の面に接触した前記被検出体により散乱した前記光源からの光を前記受光素子に結像する結像手段と、を有するタッチパネルにおいて、
前記受光素子が配置された前記導光手段の側面の一部を除く側面の少なくとも一部に光を吸収する光吸収手段が配置され、前記受光素子は前記光源の照射範囲外に配置されており、
前記結像手段はスリットもしくはピンホールであり、
前記スリットもしくはピンホールと前記受光素子との間に前記導光手段と屈折率が等しく、前記光源の波長に対して透明な樹脂が充填されていることを特徴とするタッチパネル。
【請求項２】
前記導光手段の端面の一部にミラーが配置され、前記被検出体により前記光源の光が散乱された前記被検出体の実像から光と、前記光源の光が散乱された後、前記ミラーで反射された前記被検出体の虚像からの光とが前記受光素子上に結像され、前記受光素子で検出された２つの信号に基づき前記被検出体の位置を検出することを特徴とする請求項１に記載のタッチパネル。
【請求項３】
前記光源は前記導光手段の端面の一部に配置されていることを特徴とする請求項１又は２に記載のタッチパネル。
【請求項４】
前記光源は前記導光手段の下に配置された面光源であることを特徴とする請求項１又は２に記載のタッチパネル。
【請求項５】
接触した被検出体の位置を検知するための第１の面と、前記第１の面に対向する第２の面とを有する導光手段と、
前記導光板の端面の一部に配置された複数の光源と、
前記導光板の端面の一部に配置された複数の受光素子と、
前記導光板の端面と前記受光素子の各々の間に配置され、前記被検出体により散乱された前記光源からの光をそれぞれ前記複数の受光素子に結像する結像手段と、を有するタッチパネルにおいて、
前記導光手段の端面のうち前記受光素子が配置された前記導光手段の端面以外の端面の少なくとも一部に光を吸収する光吸収手段が配置され、
前記複数の光源は各々前記複数の受光素子のいずれかと対を成しており、前記複数の受光素子の光検出期間は各々対を成す前記光源の点灯期間に内包され、且つ、対を成さない前記光源の点灯期間とは重複しておらず、
前記結像手段はスリットもしくはピンホールであり、
前記スリットもしくはピンホールと前記受光素子との間に前記導光手段と屈折率が等しく、前記光源の波長に対して透明な樹脂が充填されていることを特徴とするタッチパネル。
【請求項６】
前記光源は赤外線の光源であることを特徴とする請求項１乃至５のいずれか１項に記載のタッチパネル。
【請求項７】
前記赤外線の光源の波長が９５０±２０ｎｍであることを特徴とする請求項６に記載のタッチパネル。
【発明の詳細な説明】
【技術分野】
【０００１】
本発明は、タッチパネルに関するものであり、特に、光学式タッチパネルの改良に関するものである。
【背景技術】
【０００２】
従来、ディスプレイ装置の表示面に装着されるタッチパネルとして、光学式、抵抗膜式、静電容量式、超音波式等の各種方式が知られている。
【０００３】
そのうち、光学式タッチパネルとしては、例えば、特許文献１に液晶ディスプレイパネル等の表示装置上に配置する導光板の側面に光源と検知用ラインセンサが配置されたタッチパネルが開示されている。このタッチパネルは、光を導光体の側面の光源から供給し、入力ペン等の光吸収により変化する光信号を光源に対向して配置された検知用ラインセンサで検知する。
【０００４】
また、特許文献２には液晶ディスプレイの画面の前面に平面状の検出範囲を備え、鏡を検出範囲の一方の側部にのみ設け、鏡を設けた辺と直交する一方の辺側に光リニアセンサと赤外線発光体を設けた位置検出装置が開示されている。直接指示棒に向けて放射された赤外光は、指示棒の先端の再帰反射球の再帰反射機能により入射方向に反射され、実像としてセンサに入力される。
【０００５】
赤外線発光体の赤外光の一部は、鏡で反射して指示棒の先端の再帰反射球に入射する。再帰反射球の再帰反射機能により赤外光は入射方向に反射され、鏡で再度反射され赤外線発光体の方向に戻っていく。この反射光は写像としてセンサに入力される。そして、実像の位置情報及び写像の位置情報より指示棒の位置を求める。
【特許文献１】特開２０００−１７２４４４号公報
【特許文献２】特開２００５−２５４１５号公報
【発明の開示】
【発明が解決しようとする課題】
【０００６】
特許文献１のタッチパネルでは、入力ペン等の光吸収による光信号の変化を検知する方式であるため、外来光の入射によりコントラストが低下する。また、特許文献２の位置検出装置は、鏡に直接外来光が入射する構成であるため、鏡に対して垂直に近い角度で入射する外来光は光リニアセンサに入射し、入射した外来光の情報を含めて一計算がなされる。従って、特許文献１や特許文献２ものでは、タッチ位置の認識精度が外来光によって低下するという問題点があった。
【０００７】
本発明の目的は、外来光の影響を低減し、タッチ位置の認識精度を向上させることが可能なタッチパネルを提供することにある。
【課題を解決するための手段】
【０００８】
本発明のタッチパネルは、接触した被検出体の位置を検知するための第１の面と、前記第１の面に対向する第２の面とを有する導光手段と、
前記導光手段に光を入射する光源と、
前記導光手段の側面の一部に配置された受光素子と、
前記導光手段の側面と前記受光素子との間に配置され、前記第１の面に接触した前記被検出体により散乱した前記光源からの光を前記受光素子に結像する結像手段と、を有するタッチパネルにおいて、
前記受光素子が配置された前記導光手段の側面の一部を除く側面の少なくとも一部に光を吸収する光吸収手段が配置され、前記受光素子は前記光源の照射範囲外に配置されており、
前記結像手段はスリットもしくはピンホールであり、
前記スリットもしくはピンホールと前記受光素子との間に前記導光手段と屈折率が等しく、前記光源の波長に対して透明な樹脂が充填されていることを特徴とする。
【０００９】
本発明のタッチパネルは、接触した被検出体の位置を検知するための第１の面と、前記第１の面に対向する第２の面とを有する導光手段と、
前記導光板の端面の一部に配置された複数の光源と、
前記導光板の端面の一部に配置された複数の受光素子と、
前記導光板の端面と前記受光素子の各々の間に配置され、前記被検出体により散乱された前記光源からの光をそれぞれ前記複数の受光素子に結像する結像手段と、を有するタッチパネルにおいて、
前記導光手段の端面のうち前記受光素子が配置された前記導光手段の端面以外の端面の少なくとも一部に光を吸収する光吸収手段が配置され、
前記複数の光源は各々前記複数の受光素子のいずれかと対を成しており、前記複数の受光素子の光検出期間は各々対を成す前記光源の点灯期間に内包され、且つ、対を成さない前記光源の点灯期間とは重複しておらず、
前記結像手段はスリットもしくはピンホールであり、
前記スリットもしくはピンホールと前記受光素子との間に前記導光手段と屈折率が等しく、前記光源の波長に対して透明な樹脂が充填されていることを特徴とする。
【発明の効果】
【００１０】
本発明のタッチパネルによれば、外来光の影響を低減でき、タッチ位置の認識精度を向上させることができる。
【発明を実施するための最良の形態】
【００１１】
次に、発明を実施するための最良の形態について図面を参照して詳細に説明する。なお、本発明は以下の実施形態の内容に限定されるものではない。
【００１２】
（第１の実施形態）
図１（Ａ）は本発明に係るタッチパネルの第１の実施形態を示す図である。図１（Ａ）は斜視図、図１（Ｂ）は図１（Ａ）の受光素子１０４の周辺の拡大図である。検知用導光板である導光板１０１は接触した対象物の位置を検知するため、接触面の第１の面と、第１の面に対向する第２の面とを有する。導光板１０１の材料には、ガラスもしくはアクリルやプラスチック等様々な材質が用いられる。
【００１３】
この材料には、導光板１０１の第１面（表面）、第２面（裏面）に配置される物質に比べてある程度大きな屈折率を有する物体で、且つ、透明度がある程度高い物体であればどのような材料でも良い。本実施形態では、導光板１０１の表面側、裏面側の物質を空気とする。測定の対象物である被検出体２０１には、例えば、指や入力ペン等が一般的に用いられる。光源１０２は被検出体２０１を導光板１０１を介して照射する光源であり、波長λ0の光を発光する。タッチパネルはディスプレイ上に配置するため、光源１０２の波長は非可視光であることが好ましく、シリコン系の受光素子の感度特性等から赤外線であることが好ましい。
【００１４】
更に、太陽光のスペクトルには、９５０ｎｍ付近に大気中の水蒸気の吸収による極小値が存在することが知られており、屋外の強烈な太陽光下での使用を考慮すると、波長λ0は９５０±２０ｎｍであることが好ましい。光源１０２からの出射光は照射範囲１０３に照射される。受光素子１０４と導光板１０１の間及び受光素子１０５と導光板１０１の間には、それぞれ光源１０２の発光波長λ0を主に選択的に透過し、それ以外の光は透過しない波長選択フィルタ１０６が配置されている。受光素子１０４、１０５はライン方向に複数の画素が配列されたラインセンサである。
【００１５】
波長選択フィルタ１０６は光源１０２の波長λ0よりも短波長側の光をカットするが、長波長側の光もカットするバンドパスフィルタであればより望ましい。導光板１０１と波長選択フィルタ１０６の間に結像手段１０７が配置されている。結像手段１０７はレンズであるが、スリットやピンホール等が好適に用いられる。導光板１０１の側面には光吸収手段１０８が配置されている。光吸収手段１０８は光源１０２が配置された側面を除く少なくとも一部の側面に配置されている。光吸収手段１０８には、例えば、カーボンブラック含有樹脂が用いられる。
【００１６】
次に、本実施形態の動作を説明する。導光板１０１の側面に配置された光源１０２から照射された光は導光板１０１の内部で全反射を繰り返しながら伝播する。光源１０２による照射範囲１０３の導光板１０１表面に接触した被検出体２０１は導光板１０１の表面に存在するエバネッセント光等を散乱する。散乱された光の一部は導光板１０１内部で全反射を繰り返しながら受光素子１０４、１０５が配置された導光板１０１の側面にまで伝播する。この光は結像手段１０７により受光素子１０４、１０５上に結像される。
【００１７】
受光素子１０４、１０５で検知される信号強度の測定例を図２（Ｂ）に示す。横軸は受光素子上の画素番号であり、縦軸は受光素子で検知された光信号強度である。各受光素子はライン方向に複数の画素が配列されており、画素番号とは受光素子のライン方向の画素の位置を表す。ここで、信号強度は本来画素軸に対して離散的な値をとりうるが、ここでは模式的に連続的な曲線でデータを例示する。
【００１８】
なお、図２（Ｂ）の横軸の画素番号と図１（Ａ）の受光素子１０４、１０５との対応は次の通りである。即ち、図２（Ｂ）の横軸の左側は、導光板の第１面を上にして受光素子の導光板とは反対側から受光素子を見て受光素子１０４の左側の画素、受光素子１０５の左側の画素に対応する。さらに、図２（Ｂ）の横軸の左側は、導光板の第１面を上にして各受光素子から導光板を見て右側のタッチ位置に対応する。
【００１９】
図２（Ａ）に示すように被検出体２１０、受光素子１０４、受光素子１０５を結ぶ三角形のうち、受光素子１０４、１０５間の距離１１１はタッチパネル固有の値である。受光素子１０４の光信号１１２の位置（画素番号）から角度αが、受光素子１０５の光信号１１３の位置（画素番号）から角度βが計測できる。三角測量の原理から被検出体２０１の座標を計算する。
【００２０】
次に、本実施形態の効果を説明する。まず、図１（Ａ）に示すようにタッチパネルを構成するいずれの部品も導光板１０１の端面に配置されているため、薄型化が可能となる。例えば、第２面側に検知用の光源やセンサを設けると装置が厚くなってしまう。そのため、本発明の構成は薄型化に好適である。
【００２１】
また、受光素子１０４、１０５を光源１０２の照射範囲１０３の外に配置することで、光源１０２からの直接光が入射するのを防止できる。更に、光源１０２、受光素子１０４、１０５が配置されている部分を除き、光を吸収する光吸収手段１０８を配置している。そのため、被検出体２０１により散乱された光が導光板１０１の端面で反射され、受光素子１０４、１０５に到達することでゴースト信号となるのを防止することができる。
【００２２】
また、図３に示すように被検出体２０１を介して導光板１０１内部に侵入した外来光２０２は被検出体２０１が散乱した光源１０２からの光と同様に被検出体２０１の位置情報を有するため座標検出に利用できる。一方、導光板１０１表面に接触した被検出体２０１の位置情報を持たない外来光２０３は導光板１０１の端面に配置された光吸収手段１０８により吸収され、導光板１０１内部に侵入しない。このような構成とすることで、薄型化をしつつ外来光に対する影響を軽減することが可能となる。
【００２３】
（第２の実施形態）
図４は本発明の第２の実施形態を示す図である。図４（Ａ）は平面図、図４（Ｂ）は図４（Ａ）の受光素子１０４周辺の拡大図である。図４では図１と同一の部分には同一符号を付している。第１の実施形態との違いはミラー１１４を導光板１０１の端面に設けている点である。また、受光素子１０５及びそれに付随する波長選択フィルタや結像手段は配置されていない。
【００２４】
ミラー１１４が配置された導光板１０１の端面は、受光素子１０４が配置された端面及び受光素子１０４が配置された端面と隣り合う端面以外の端面である。本実施形態の動作のうち、被検出体２０１から直接受光素子１０４に至る実像からの光２０４の拳動は第１の実施形態と同様である。
【００２５】
図４（Ａ）に示すように被検出体２０１が散乱した光のうちミラー１１４に反射して受光素子１０４に入射する光は、被検出体２０１の虚像２０１ａからの光２０５として受光素子１０４にて観測される。このような構成とすることで、図５に示す様に被検出体２０１が散乱した光の実像からの光信号１１５と虚像２０１ａからの光信号１１６の二つの信号を一つの受光素子１０４で観測することが可能となる。その結果、被検出体２０１の座標を一つの受光素子１０４で計算することが可能となる。図５の横軸と受光素子との対応は図２（Ｂ）の場合と同様である。
【００２６】
本実施形態によれば、第１の実施形態の効果に加えて、受光素子及びそれに付随する波長選択フィルタ、或いは結像手段等の数を減らすことが可能となるため、コスト削減が可能となる。
【００２７】
（第３の実施形態）
図６は本発明の第３の実施形態を示す図である。本実施形態では、光源１０２ａと光源１０２ｂが導光板１０１の対向する側面に配置されている。また、受光素子１０４ａと１０４ｂが配置されている。光源１０２ａと受光素子１０４ａは対を成しており、光源１０２ｂと受光素子１０４ｂは対を成すものである。
【００２８】
光源１０２ａと１０２ｂは図１の光源１０２と同じものであり、受光素子１０４ａ及び受光素子１０４ｂは図１の受光素子１０４と同じものである。その他の構成は図１と同様である。図６では図１と同一の部分には同一符号を付している。
【００２９】
図６（Ａ）は平面図であり、光源１０２ａが点灯している状態を示す。図６（Ｂ）は同様に平面図であり、光源１０２ｂが点灯している状態を示す。受光素子の周辺の拡大図は省略しているが、図１（Ｂ）或いは図４（Ｂ）等と同様である。図７は図６の各光源の点灯期間、各受光素子の光検出期間の関係を示す。横軸は経過時間、縦軸は点灯及び光検出の有無を示す。
【００３０】
第１及び第２の実施形態との違いは、対を成す複数の光源１０２ａと受光素子１０４ａ及び光源１０２ｂと受光素子１０４ｂを導光板１０１の端面に設けている点である。受光素子１０４ａは対を成す光源１０２ａの照射範囲１０３ａ外に配置され、受光素子１０４ｂは対を成す光源１０２ｂの照射範囲１０３ｂ外に配置されている。
【００３１】
図７に示すように受光素子１０４ａの光検出期間１１８ａは、対を成す光源１０２ａの点灯期間１１７ａに内包され、受光素子１０４ｂの光検出期間１１８ｂは対を成す光源１０２ｂの点灯期間１１７ｂに内包される。光源１０２ａの点灯期間１１７ａは光源１０２ｂの点灯期間１１７ｂとは重複しない。すなわち、光源１０２ａの点灯期間１１７ａは受光素子１０４ｂの光検出期間１１８ｂとは重複しない。
【００３２】
本実施形態の動作のうち、光源１０２ａ或いは１０２ｂから照射された光を被検出体２０１が散乱し、散乱光の一部が導光板１０１を伝播して受光素子１０４ａ或いは１０４ｂで検知する一連の動作は第１の実施形態と同じである。
【００３３】
ここで、光源１０２ａの点灯期間１１７ａ中、被検出体２０１で光源１０２ａからの光が散乱されたとする。散乱された光の一部は導光板内部で全反射を繰り返しながら受光素子１０４ａが配置された導光板１０１の端面にまで伝播する。この光は不図示の結像手段により受光素子１０４ａ上に結像される。
【００３４】
この時、図７に示すように受光素子１０４ｂは点灯期間１１７ａには受光しないので、図６（Ａ）に示すように位置的には光源１０２ａの照射範囲内であっても光源１０２ａからの直接光を検出することは無い。また、同様の理由で図６（Ｂ）に示すように受光素子１０４ａは位置的には光源１０２ｂの照射範囲内であっても光源１０２ｂからの直接光を検出することは無い。
【００３５】
複数の光源及び受光素子を配置する場合、第１の実施形態では全ての光源の照射範囲外に全ての受光素子を配置しなければならない。本実施形態では、対を成す光源の照射範囲外に受光素子を配置するだけで済み、第１の実施形態と比較して光源及び受光素子の配置に自由度が増すという効果が得られる。
【００３６】
（第４の実施形態）
図８は本発明の第４の実施形態を示す図である。本実施形態では結像手段としてスリットを使ったタッチパネルを示す。図８では図１と同一部分には同一符号を付している。図８（Ａ）は図１の受光素子１０４近辺の構成を示す。受光素子１０５の近辺も同様である。その他の構成は図１と同様である。
【００３７】
具体的には、図８（Ａ）に示すようにスリット１２１と受光素子１０４の間に屈折率が導光板１０１と略等しく光源１０２からの光に対して透明な樹脂１１９を充填している。図８（Ａ）にはその場合の信号光の軌跡を示す。図８（Ｂ）は図８（Ａ）の構成に対して樹脂１１９を充填していない点が異なる。図８（Ｂ）には信号光の軌跡を示す。
【００３８】
本実施形態では図８（Ａ）、図８（Ｂ）の両構成が可能である。波長選択フィルタ１０６は省略しているが、透明な樹脂１１９にその機能を持たせても良い。１２０ａは導光板１０１の屈折率と空気の屈折率から決まる導光板１０１から空気中に抜ける臨界角未満の角度でスリット１２１に到達した信号光の軌跡を示す。１２０ｂは臨界角以上の角度でスリット１２１に到達した信号光の軌跡を示す。本実施形態のその他の動作は第１の実施形態の説明と同様である。
【００３９】
本実施形態では、結像手段１０７としてスリット１２１を使用することによりレンズを使用する場合に比べてコストが抑えられる。図８（Ａ）に示すように樹脂１１９を充填した場合には、導光板１０１と空気層の界面が無いため、臨界角による制限が無くなり、より広い角度の信号光が受光素子１０４に到達し、受光素子から見た視野角が広がるという効果が得られる。更に、透明樹脂１１９に信号光の波長は透過するが、それ以外の波長の光を遮断するフィルタ機能を付加することにより、部品点数を削減できるという効果が得られる。
【００４０】
図８（Ａ）、図８（Ｂ）の構成は図１、図４、図６の実施形態の結像手段としてのレンズの代わりに使用することが可能である。また、後述する図９に示す実施形態にも使用可能である。
【００４１】
（第５の実施形態）
図９は本発明の第５の実施形態を示す図である。図９（Ａ）は斜視図、図９（Ｂ）は受光素子周辺の拡大図を示す。図９では図１、図４等と同一部分には同一符号を付している。本実施形態では、図１や図４等の構成に液晶ディスプレイ１１５、バックライト用導光板１１６等が追加され、検知用の光源１０２が表示用光源１０５と同様にバックライト用導光板１１６に配置されている。
【００４２】
検知用の導光板１０１の材料には、ガラスもしくはアクリルやプラスチック等様々な材質が用いられる。この材料には、導光板１０１の第１面（表面）、第２面（裏面）に配置される物質に比べてある程度大きな屈折率を有する物体で、且つ、透明度がある程度高い物体であればどのような材料でも良い。本実施形態では、導光板１０１の表面側、裏面側の物質を同様に空気とする。
【００４３】
本実施形態では、導光板１０１の下部に液晶ディスプレイ１１５が配置され、液晶ディスプレイ１１５の下には表示用のバックライト用導光板１１６が配置されている。図９ではバックライトを構成する光学フィルム類は省略している。
【００４４】
バックライト用導光板１１６の端面には表示用光源１０５及び検知用の光源１０２が配置されている。表示用光源１０５は一般に白色光源である。光源１０２は被検出体２０１に照射する光源であり、波長λ0の光を発光する。液晶ディスプレイ１１５は表示の有無に関らず波長λ0の光の大部分を透過する。
【００４５】
タッチパネルは液晶ディスプレイ１１５上に配置されるため、光源１０２の波長は非可視光であることが好ましく、シリコン系の受光素子の感度特性等から赤外線であることが好ましい。更に、太陽光のスペクトルには、９５０ｎｍ付近に大気中の水蒸気による吸収による極小値が存在するので、屋外の強烈な太陽光下での使用を考慮すると波長λ0は９５０±２０ｎｍであることが好ましい。
【００４６】
１０３は光源１０２の照射範囲を示す。受光素子１０４の前には光源１０２の発光波長λ0を主に選択的に透過し、それ以外の光は透過しない波長選択フィルタ１０６が配置されている。波長選択フィルタ１０６は光源１０２の波長λ0よりも短波長側の光をカットするが、長波長側の光もカットするバンドパスフィルタであれば尚良い。
【００４７】
１０７は結像手段、１０８は光吸収手段である。１１４は図４と同様のミラーである。光源１０２の照射光は光源１０２の照射範囲１０３に接触した被検出体２０１により散乱され、その光がミラー１１４で反射されて受光素子１０４に入射する。その場合、光源１０２の照射光が直接ミラー１１４に反射して受光素子１０４には入射しないように導光板１０１の端面に受光素子１０４が配置されている。
【００４８】
本実施形態では、光源１０２はバックライト用導光板１１６の端面に配置された表示用光源１０５に併設されている。光源１０２から照射された光は全反射を繰り返しながらバックライト用導光板１１６の内部を伝播し、表示用光源１０５と同様に液晶ディスプレイ１１５の表示面に対して垂直な方向に光を発する面光源となる。光源１０２の照射範囲１０３に接触した被検出体２０１により光源１０２からの照明光が散乱され、散乱された光の一部は導光板１０１内部で全反射を繰り返しながら受光素子１０４が配置された導光板１０１の端面にまで伝播する。
【００４９】
この光は結像手段１０７により受光素子１０４上に結像される。散乱された光の一部は導光板１０１内部で全反射を繰り返しながらミラー１１４に到達する。ミラー１１４により反射された散乱光は導光板１０１内部で全反射を繰り返しながら受光素子１０４が配置された導光板１０１の端面にまで伝播する。この光は結像手段１０７により受光素子１０４上に結像される。
【００５０】
受光素子１０４で検知される信号強度の測定例を図１０（Ｂ）に示す。横軸は受光素子上の画素番号であり、縦軸が受光素子で検知された光信号強度である。受光素子は上述のように長手方向に複数の画素が配列されており、画素番号とは受光素子の長手方向の画素の位置を表す。信号強度は本来画素軸に対して離散的な値をとりうるが、ここでは模式的に連続的な曲線でデータを例示する。なお、図１０（Ｂ）の横軸と受光素子との対応は図２（Ｂ）の場合と同様である。
【００５１】
図１０（Ａ）に示すように被検出体２０１、受光素子１０４、仮想受光素子１０４ａを結ぶ三角形のうち、受光素子１０４、仮想受光素子１０４ａ間の距離１１１はタッチパネル固有の値となる。また、図１０（Ｂ）に示すように受光素子１０４による被検出体２０１の実像の光信号１１２の位置（画素番号）から角度αが計測できる。更に、受光素子１０４による被検出体２０１の虚像の光信号１１３の位置（画素番号）から角度βが計測できる。三角測量の原理から被検出体２０１の座標を計算することが可能である。
【００５２】
本実施形態では、図９（Ａ）に示すように受光素子１０４を光源１０２の照射範囲１０３の外に配置することで、光源１０２からの直接光が入射するのを防止できる。更に、受光素子１０４及びミラー１１４が配置されている部分を除き、導光板１０１の端面に光吸収手段１０８を配置している。そのため、被検出体２０１により散乱された光が導光板１０１の端面で反射されて受光素子１０４に到達してゴースト信号となるのを防止できる。
【００５３】
また、図３で説明したように被検出体２０１を介して導光板１０１内部に侵入した外来光２０２は被検出体２０１が散乱した光源１０２からの光と同様に被検出体２０１の位置情報を有するため座標検出に利用できる。
【００５４】
一方、導光板１０１表面に接触した被検出体２０１の位置情報をもたない外来光２０３は導光板１０１の端面に配置した光吸収手段１０８により吸収され、導光板１０１内部に侵入しない。また、導光板１０１の端面に配置したミラー１１４により被検出体２０１の虚像からの信号も受光素子１０４で検出可能になる。このような構成とすることで、外来光に対する影響を軽減することが可能となる。
【図面の簡単な説明】
【００５５】
【図１】本発明に係るタッチパネルの第１の実施形態を示す図である。
【図２】第１の実施形態の位置検出の原理と受光素子で得られる光信号の波形の一例を示す図である。
【図３】第１の実施形態の外来光の挙動を示す図である。
【図４】本発明の第２の実施形態を示す図である。
【図５】第２の実施形態の受光素子で得られる光信号の波形の一例を示す図である。
【図６】本発明の第３の実施形態を示す図である。
【図７】第３の実施形態の各光源の点灯期間と各受光素子の光検出期間の関係を示す図である。
【図８】本発明の第４の実施形態を示す図である。
【図９】本発明の第５の実施形態を示す図である。
【図１０】第５の実施形態の位置検出の原理と受光素子で得られる光信号の波形の一例を示す図である。
【符号の説明】
【００５６】
１０１  導光板
１０２  光源
１０２ａ、１０２ｂ  光源
１０３  光源の照射範囲
１０４、１０５  受光素子
１０４ａ、１０４ｂ  受光素子
１０５  表示用光源
１０６  選択選択フィルタ
１０７  結像手段
１０８  光吸収手段
１１４  ミラー
１１５  液晶ディスプレイ
１１６  バックライト用導光板
１１９  透明樹脂
１２１  スリット
２０１  被検出体
【図１】
0005025552.tif 000002
【図２】
0005025552.tif 000003
【図３】
0005025552.tif 000004
【図４】
0005025552.tif 000005
【図５】
0005025552.tif 000006
【図６】
0005025552.tif 000007
【図７】
0005025552.tif 000008
【図８】
0005025552.tif 000009
【図９】
0005025552.tif 000010
【図１０】
0005025552.tif 000011